(57)【要約】      （修正有）【課題】ＮＦＣ機能をより便利に、且つ安全に使用することができる近距離無線通信機能を有する携帯型電子装置を提供する。【解決手段】近距離無線通信機能を有する携帯型電子装置１００は、殻体２１を備えた本体２０と、本体２０の両端に接続され、且つ携帯型電子装置１００を腕に装着するために用いられる２つのベルト３１，３２を備える帯部３０と、殻体２１の内部又は帯部３０の内部に設置される、各種の異なるアプリケーションをロードするＮＦＣモジュール５０と、を備える。【選択図】図１
0003191454.tif 000002
【実用新案登録請求の範囲】
【請求項１】
身に着けることができる近距離無線通信機能を有する携帯型電子装置であって、
本体と、
前記本体の両端に接続され、且つ前記携帯型電子装置を腕に装着するために用いられる２つのベルトを備える帯部と、
各種の異なるアプリケーションをロードするＮＦＣモジュールと、
を備える近距離無線通信機能を有する携帯型電子装置。
【請求項２】
前記携帯型電子装置は、充電電池をさらに備え、前記携帯型電子装置のＮＦＣモジュールなどの各機能モジュールに電力を提供するために用いられることを特徴とする請求項１に記載の近距離無線通信機能を有する携帯型電子装置。
【請求項３】
前記充電電池は、湾曲可能な薄膜電池であり、且つ帯部の内部に設置され、前記ＮＦＣモジュールは、前記薄膜電池に内蔵されることを特徴とする請求項２に記載の近距離無線通信機能を有する携帯型電子装置。
【請求項４】
前記本体は、殻体と、前記殻体の表面に配置された表示部と、前記殻体の内部に設置された制御装置と、を備え、前記表示部は、前記制御装置、前記充電電池及び前記ＮＦＣモジュールに電気的に接続されて、時間、電池残量及び他の各種情報を表示するために用いられることを特徴とする請求項２に記載の近距離無線通信機能を有する携帯型電子装置。
【請求項５】
前記表示部は、液晶ディスプレイ、有機発光ダイオードディスプレイ又は電子ペーパーディスプレイであることを特徴とする請求項４に記載の近距離無線通信機能を有する携帯型電子装置。
【請求項６】
前記帯部の表面における複数の表示領域が配置され、前記表示領域は、前記充電電池及び前記ＮＦＣモジュールに電気的に接続され、各種のＮＦＣアプリケーションのデータ等の情報を表示するために用いられることを特徴とする請求項４に記載の近距離無線通信機能を有する携帯型電子装置。
【請求項７】
前記表示領域は、湾曲可能な電子ペーパーディスプレイを使用することができることを特徴とする請求項６に記載の近距離無線通信機能を有する携帯型電子装置。
【考案の詳細な説明】
【技術分野】
【０００１】
本考案は、通信技術に関して、さらに人体上に使用され、且つＮＦＣモジュールに基づいて近距離無線通信機能を実現することができる携帯型電子装置に関するものである。
【背景技術】
【０００２】
近距離無線通信（ＮＦＣ）技術とは、携帯電話などの移動端末に基づいて近距離（例えば、１０ｃｍ以内）非接触無線通信を実行する技術のことである。使用に便利であるため、現在のＮＦＣモジュールを備えた物理的なカードには、バスカード、クレジットカード、アクセスカード、キャッシュカード、会員カードなどがあり、これらのカードには各種の異なるＮＦＣ機能が集積されている。従って、如何にＮＦＣ機能をより便利に、且つ安全に使用することができるかが、現在の主要課題である。
【考案の概要】
【考案が解決しようとする課題】
【０００３】
本考案の目的は、前記課題を解決し、ＮＦＣ機能をより便利で、且つ安全に使用することができる近距離無線通信機能を有する携帯型電子装置を提供することである。
【課題を解決するための手段】
【０００４】
本考案に係る近距離無線通信機能を有する携帯型電子装置は、本体と、前記本体の両端に接続され、且つ前記携帯型電子装置を腕に装着するために用いられる２つのベルトを備える帯部と、各種の異なるアプリケーションをロードするＮＦＣモジュールと、を備える。
【考案の効果】
【０００５】
本考案の近距離無線通信機能を有する携帯型電子装置は、ベルトによって腕に装着することができ、携帯型電子装置におけるＮＦＣモジュールを装着することによって、ＮＦＣ機能を容易に実現させ、また、より便利に、且つ安全に使用することができる。
【図面の簡単な説明】
【０００６】
【図１】本考案の実施形態に係る携帯型電子装置を示す図である。
【図２】図１に示す携帯型電子装置の構造の原理図である。
【図３】本考案の他の実施形態に係る携帯型電子装置を示す図である。
【考案を実施するための形態】
【０００７】
以下、図面を参照して、本考案の実施形態について説明する。
【０００８】
図１は、本考案の実施形態に係る身に着けることができる携帯型電子装置１００を示す図である。本実施形態において、携帯型電子装置１００は、腕に腕時計のように装着することができる。
【０００９】
携帯型電子装置１００は、本体２０及び帯部３０を備える。本体２０は、殻体２１及び殻体２１の表面に設置された表示部２２を備える。殻体２１の材料は、ステンレス、プラスチック等であり、市場の需要に応じて選択することができる。
【００１０】
帯部３０は、本体２０の両端に接続された２つのベルト３１、３２を備える。ベルト３１、３２は携帯型電子装置１００を腕に装着するために用いられる。
【００１１】
本実施形態において、携帯型電子装置１００は、ＮＦＣモジュール５０をさらに備える。ＮＦＣモジュール５０は、バスカード、クレジットカード、アクセスカード、キャッシュカード、会員カードなどの各種の異なるアプリケーションをロードする。
【００１２】
本実施形態において、携帯型電子装置１００は、充電電池４０をさらに備え、携帯型電子装置１００のＮＦＣモジュール５０などの各機能モジュールに電力を提供するために用いられる。充電電池４０及びＮＦＣモジュール５０は、殻体２１の内部に設置するか又は帯部３０の内部に設置することができる。本実施形態において、充電電池４０は、湾曲可能な薄膜電池であり、且つ帯部３０の内部に設置される。ＮＦＣモジュール５０は、薄膜電池に内蔵される。
【００１３】
図２を参照すると、携帯型電子装置１００の本体２０は、殻体２１の内部に設置された制御装置２３をさらに備える。表示部２２は、制御装置２３、充電電池４０及びＮＦＣモジュール５０に電気的に接続されて、時間、電池残量及び他の各種情報（例えば、ＮＦＣ機能のデータ情報等）を表示するために用いられる。本実施形態において、表示部２２は、液晶ディスプレイ、有機発光ダイオードディスプレイ又は電子ペーパーディスプレイである。
【００１４】
図３を参照すると、他の実施形態において、帯部３０の表面には、複数の表示領域６０が設置される。表示領域６０は、充電電池４０及びＮＦＣモジュール５０に電気的に接続され、携帯型電子装置１００の表示領域を拡張するために用いられ、各種のＮＦＣアプリケーションのデータ等の情報を表示することができる。これにより、整合された他の機能を有する携帯型電子装置１００は、より大きな表示領域を得ると同時に、小型化の要求を満たすことができる。他の実施形態において、複数の表示領域６０は、湾曲可能な電子ペーパーディスプレイを使用することができる。
【００１５】
本考案の携帯型電子装置１００は、ベルト３１、３２によって腕に装着することができる。携帯型電子装置１００におけるＮＦＣモジュールを装着することによって、ＮＦＣ機能を容易に実現させ、また、より便利に、且つ安全に使用することができる。また、帯部３０の表面に複数の表示領域６０を設置することによって携帯型電子装置１００の表示領域を拡大できる。これにより、消費者の需要を満たすことができる。
【００１６】
以上、本考案を実施形態に基づいて具体的に説明したが、本考案は、上述の実施形態に限定されるものではなく、その要旨を逸脱しない範囲において、種々の変更が可能であることは勿論であって、本考案の保護範囲は、以下の実用新案登録請求の範囲から決まる。
【符号の説明】
【００１７】
２０  本体
２１  殻体
２２  表示部
２３  制御装置
３０  帯部
３１、３２  ベルト
４０  充電電池
５０  ＮＦＣモジュール
６０  表示領域
１００  携帯型電子装置
【図１】
0003191454.tif 000003
【図２】
0003191454.tif 000004
【図３】
0003191454.tif 000005
【手続補正書】
【提出日】平成26年4月15日(2014.4.15)
【手続補正１】
【補正対象書類名】実用新案登録請求の範囲
【補正対象項目名】全文
【補正方法】変更
【補正の内容】
【実用新案登録請求の範囲】
【請求項１】
身に着けることができる近距離無線通信機能を有する携帯型電子装置であって、
殻体を備えた本体と、
前記本体の両端に接続され、且つ前記携帯型電子装置を腕に装着するために用いられる２つのベルトを備える帯部と、
前記殻体の内部又は前記帯部の内部に設置される、各種の異なるアプリケーションをロードするＮＦＣモジュールと、
を備える近距離無線通信機能を有する携帯型電子装置。
【請求項２】
前記携帯型電子装置は、充電電池をさらに備え、前記携帯型電子装置のＮＦＣモジュールなどの各機能モジュールに電力を提供するために用いられることを特徴とする請求項１に記載の近距離無線通信機能を有する携帯型電子装置。
【請求項３】
前記充電電池は、湾曲可能な薄膜電池であり、且つ帯部の内部に設置され、前記ＮＦＣモジュールは、前記薄膜電池に内蔵されることを特徴とする請求項２に記載の近距離無線通信機能を有する携帯型電子装置。
【請求項４】
前記本体は、前記殻体の表面に配置された表示部と、前記殻体の内部に設置された制御装置と、を備え、前記表示部は、前記制御装置、前記充電電池及び前記ＮＦＣモジュールに電気的に接続されて、時間、電池残量及び他の各種情報を表示するために用いられることを特徴とする請求項２に記載の近距離無線通信機能を有する携帯型電子装置。
【請求項５】
前記表示部は、液晶ディスプレイ、有機発光ダイオードディスプレイ又は電子ペーパーディスプレイであることを特徴とする請求項４に記載の近距離無線通信機能を有する携帯型電子装置。
【請求項６】
前記帯部の表面における複数の表示領域が配置され、前記表示領域は、前記充電電池及び前記ＮＦＣモジュールに電気的に接続され、各種のＮＦＣアプリケーションのデータ等の情報を表示するために用いられることを特徴とする請求項４に記載の近距離無線通信機能を有する携帯型電子装置。
【請求項７】
前記表示領域は、湾曲可能な電子ペーパーディスプレイを使用することができることを特徴とする請求項６に記載の近距離無線通信機能を有する携帯型電子装置。